(57)【要約】      （修正有）【課題】送信元によって転送される情報ワードを電気通信デバイスが中継しなければならないか否かを判断する方法を提供する。【解決手段】送信元によって転送される信号は、情報ワードから取得される複素シンボルで構成される。電気通信デバイスは、少なくとも送信元によって転送される複素シンボルで構成される少なくとも１つの信号を受信し、複素シンボルで構成される前記少なくとも１つの受信信号から前記情報ワードを正常に復号し、前記正常な復号が前記情報ワードの予想正常復号時間よりも前に行われたか否かをチェックし、該予想正常復号時間は他の情報ワードの以前の正常な復号から取得され、前記正常な復号が前記情報ワードの前記予想正常復号時間よりも前に行われた場合には、前記情報ワードから取得された複素シンボルで構成される少なくとも１つの信号を取得し、前記少なくとも１つの取得された信号を転送する。【選択図】図１
2011223560.tif 000002
【特許請求の範囲】
【請求項１】
無線セルラー電気通信ネットワークにおいて送信元により転送される情報ワードを電気通信デバイスが中継しなければならないか否かを判断する方法であって、前記送信元によって転送される信号は、前記情報ワードから取得された複素シンボルで構成されており、
該方法は、前記電気通信デバイスによって実行されるステップであって、
少なくとも前記送信元によって転送される複素シンボルで構成される少なくとも１つの信号を受信するステップと、
複素シンボルで構成される前記少なくとも１つの受信信号から、前記情報ワードを正常に復号するステップと、
前記正常な復号が前記情報ワードの予想正常復号時間よりも前に行われたか否かをチェックするステップであって、該予想正常復号時間は他の情報ワードの以前の正常な復号から取得される、チェックするステップと、
前記正常な復号が前記情報ワードの前記予想正常復号時間よりも前に行われた場合には、
前記情報ワードから取得された複素シンボルで構成される少なくとも１つの信号を取得するステップと、
前記少なくとも１つの取得された信号を転送するステップと
を含むことを特徴とする、方法。
【請求項２】
前記送信元によって転送される前記信号は複素シンボルベクトルを表し、同じ情報ワードから導出された複数の複素シンボルベクトルは正常に転送されることを特徴とし、
前記正常な復号が前記情報ワードの予想正常復号時間よりも前に行われるか否かの前記チェックは、前記情報ワードが正常に復号される前記複素シンボルベクトルが、該情報ワードが復号されると予想される前記複素シンボルベクトルよりも前に転送されるか否かを比較することによって実行されることを特徴とする、請求項１に記載の方法。
【請求項３】
前記予想正常復号時間は、他の情報ワードの以前の正常な復号に対して実行された統計から求められることを特徴とする、請求項２に記載の方法。
【請求項４】
前記統計は、前記信号が少なくとも別の電気通信デバイスによって中継されるか否かを考慮に入れて行われることを特徴とする、請求項３に記載の方法。
【請求項５】
同じ情報ワードから導出された各前記転送される複素シンボルベクトルはインデックスを有することを特徴とし、前記統計は該インデックスごとに行われることを特徴とする、請求項３又は４に記載の方法。
【請求項６】
前記電気通信デバイスによって転送される少なくとも１つの取得された信号の送信電力は、情報ワードが正常に復号される前記複素シンボルベクトルの前記インデックスに依存することを特徴とする、請求項５に記載の方法。
【請求項７】
前記統計は、前記複素シンボルベクトルごとに、前記情報ワードの前記受信送信の開始から受信された符号化ビットの量に対して、各前記複素シンボルベクトルの受信後に行われることを特徴とする、請求項３又は４に記載の方法。
【請求項８】
前記統計は、１つの複素シンボルベクトルの前記受信後に等価符号化率に対して行われ、該等価符号化率は、前記受信された複素シンボルベクトルにおける前記情報ワードの転送される情報ビット数と、前記情報ワードの前記送信の開始から受信された全ビット数との間の比として定義されることを特徴とする、請求項３又は４に記載の方法。
【請求項９】
他の情報ワードの前記正常な復号は、前記電気通信デバイスによって実行されることを特徴とする、請求項３から請求項８までのいずれか１項に記載の方法。
【請求項１０】
他の情報ワードの前記正常な復号は、他の電気通信デバイスによって実行されることを特徴とし、前記電気通信デバイスは、他の電気通信デバイスによる他の情報ワードの前記正常な復号を、該他の電気通信デバイスによって転送される肯定応答メッセージ及び／又は否定応答メッセージを監視することによって検出することを特徴とする、請求項３から請求項８までのいずれか１項に記載の方法。
【請求項１１】
少なくとも前記送信元によって転送される複素シンボルで構成される前記少なくとも１つの信号は、複数の電気通信デバイスへ転送されることを特徴とする、請求項１から請求項１０までのいずれか１項に記載の方法。
【請求項１２】
無線セルラー電気通信ネットワークにおいて少なくとも送信元により転送される情報ワードを電気通信デバイスが中継しなければならないか否かを判断するデバイスであって、前記送信元によって転送される信号は、前記情報ワードから取得された複素シンボルで構成されており、
前記情報ワードを中継しなければならないか否かを判断する該デバイスは、前記電気通信デバイスに含まれているとともに、
少なくとも前記送信元によって転送される複素シンボルで構成される少なくとも１つの信号を受信する手段と、
複素シンボルで構成される前記少なくとも１つの受信信号から、前記情報ワードを正常に復号する手段と、
前記正常な復号が前記情報ワードの予想正常復号時間よりも前に行われたか否かをチェックする手段であって、該予想正常復号時間は他の情報ワードの以前の正常な復号から取得される、チェックする手段と、
前記正常な復号が前記情報ワードの前記予想正常復号時間よりも前に行われた場合に、前記情報ワードから取得された複素シンボルで構成される少なくとも１つの信号を取得する手段と、
前記正常な復号が前記情報ワードの前記予想正常復号時間よりも前に行われた場合に、前記少なくとも１つの取得された信号を転送する手段と、
を備えることを特徴とする、デバイス。
【請求項１３】
無線セルラー電気通信ネットワークの基地局であって、情報ワードを中継しなければならないか否かを判断するデバイスを備えることを特徴とする、基地局。
【請求項１４】
無全セルラー電気通信ネットワークの移動端末であって、情報ワードを中継しなければならないか否かを判断するデバイスを備えることを特徴とする、移動端末。
【発明の詳細な説明】
【技術分野】
【０００１】
本発明は包括的には、無線セルラー電気通信ネットワークの少なくとも送信元によって転送される情報ワードを電気通信デバイスが中継しなければならないか否かを判断する方法及びデバイスに関する。
【背景技術】
【０００２】
今後の無線セルラー電気通信ネットワークは、現在の無線セルラー電気通信ネットワークによって用いられる周波数帯よりも高い周波数帯を用いる予定である。
【０００３】
これらのセルラー電気通信ネットワークは、特に都市環境において、基地局と端末との間で転送される信号が著しく減衰されるデッドゾーンを有することになる。
【０００４】
基地局によって放射された信号が減衰されすぎている場合に、無線セルラー電気通信ネットワークへのアクセスは、デッドゾーンに位置する移動端末にとって不可能となる場合がある。
【０００５】
今日、解決法が提案されている。中継器等の特定の無線電気通信デバイスによって、デッドゾーンを削減することが意図されている。
【発明の概要】
【発明が解決しようとする課題】
【０００６】
本発明は、中継器を用いることによって、宛先により受信される信号を向上させることを目的とする。
【課題を解決するための手段】
【０００７】
そのため、本発明は、無線セルラー電気通信ネットワークにおいて送信元により転送される情報ワードを電気通信デバイスが中継しなければならないか否かを判断する方法であって、前記送信元によって転送される信号は、前記情報ワードから取得される複素シンボルで構成されており、
該方法は、前記電気通信デバイスによって実行されるステップであって、
少なくとも前記送信元によって転送される複素シンボルで構成される少なくとも１つの信号を受信するステップと、
複素シンボルで構成される前記少なくとも１つの受信信号から、前記情報ワードを正常に復号するステップと、
前記正常な復号が前記情報ワードの予想正常復号時間よりも前に行われたか否かをチェックするステップであって、該予想正常復号時間は他の情報ワードの以前の正常な復号から取得される、チェックするステップと、
前記正常な復号が前記情報ワードの前記予想正常復号時間よりも前に行われた場合には、
前記情報ワードから取得された複素シンボルで構成される少なくとも１つの信号を取得するステップと、
前記少なくとも１つの取得された信号を転送するステップと
を含むことを特徴とする、方法に関する。
【０００８】
また、本発明は、無線セルラー電気通信ネットワークにおいて少なくとも送信元により転送される情報ワードを電気通信デバイスが中継しなければならないか否かを判断するデバイスであって、前記送信元によって転送される信号は、前記情報ワードから取得される複素シンボルで構成されており、
前記情報ワードを中継しなければならないか否かを判断する該デバイスは、前記電気通信デバイスに含まれているとともに、
少なくとも前記送信元によって転送される複素シンボルで構成される少なくとも１つの信号を受信する手段と、
複素シンボルで構成される前記少なくとも１つの受信信号から前記情報ワードを正常に復号する手段と、
前記正常な復号が前記情報ワードの予想正常復号時間よりも前に行われたか否かをチェックする手段であって、該予想正常復号時間は他の情報ワードの以前の正常な復号から取得される、チェックする手段と、
前記正常な復号が前記情報ワードの前記予想正常復号時間よりも前に行われた場合に、前記情報ワードから取得された複素シンボルで構成される少なくとも１つの信号を取得する手段と、
前記正常な復号が前記情報ワードの前記予想正常復号時間よりも前に行われた場合に、前記少なくとも１つの取得された信号を転送する手段と
を備えることを特徴とする、デバイスに関する。
【０００９】
したがって、電気通信デバイスは情報ワードを効率的に中継する。
【００１０】
電気通信デバイスが送信元から遠いとき、たとえば電気通信デバイスが移動端末であり、送信元が基地局であるとき、送信元のセル端では、電気通信デバイスと送信元との間のデータリンクの信号対雑音比は低い。
これは、電気通信デバイスが、情報ワードから取得された全複素変調シンボルベクトルの送信後にメッセージを正しく復号しない可能性を有することを意味する。同様に、その電気通信デバイスの近傍電気通信デバイスも、低い信号対雑音比の条件を有し、正しい復号を行う可能性が低い。しかしながら、早期の復号の確率は低いが、ゼロではない。
その電気通信デバイスが中継モードになる場合、その寄与は、たとえ該電気通信デバイスが低い送信電力で信号を送信する場合であっても、その近傍電気通信デバイスにとって非常にプラスである。この状況では、少なくとも１つの電気通信デバイスにとって早期に復号が行われない確率が低くなることから、高密度の電気通信デバイスと組み合わせて中継を行うことが現実に役立つ。
【００１１】
送信元が宛先電気通信デバイスから遠いとき、たとえば、送信元が移動端末であり、宛先電気通信デバイスが基地局であるとき、宛先電気通信デバイスと送信元との間のデータリンクの信号対雑音比は低い。
これは、宛先電気通信デバイスが、情報ワードから取得された全複素変調シンボルベクトルの送信後にメッセージを正しく復号しない可能性を有することを意味する。同様に送信元から遠く宛先に近い移動端末又は中継器のような他の電気通信デバイスも、低い信号対雑音比の条件を有し、正しい復号を行う可能性が低い。しかしながら、早期の復号の確率は低いが、ゼロではない。
別の電気通信デバイスが中継モードになる場合、その寄与は、たとえ該電気通信デバイスが低い送信電力で信号を送信する場合であっても、たとえば基地局のようなその近傍電気通信デバイスにとって非常にプラスである。
【００１２】
特定の特徴によれば、
前記送信元によって転送される信号は複素シンボルベクトルを表し、同じ情報ワードから導出された複数の複素シンボルベクトルは正常に転送され、
前記正常な復号が前記情報ワードの予想正常復号時間よりも前に行われるか否かの前記チェックは、前記情報ワードが正常に復号される前記複素シンボルベクトルが、該情報ワードが復号されると予想される前記複素シンボルベクトルよりも前に転送されるか否かを比較することによって実行される。
【００１３】
したがって、たとえば送信リンク品質が通常よりも良好であるので、正常な復号が通常よりも早期に行われるか否かを判断することができる。
【００１４】
特定の特徴によれば、前記予想正常復号時間は、他の情報ワードの以前の正常な復号に対して実行された統計(statistics)から求められる。
【００１５】
したがって、予想正常復号時間は時間を通じて分かる。
【００１６】
特定の特徴によれば、前記統計は、前記信号が少なくとも別の電気通信デバイスによって中継されるか否かを考慮に入れて行われる。
【００１７】
したがって、システムの最適化において、中継器の起動を考慮に入れることが可能である。
【００１８】
特定の特徴によれば、同じ情報ワードから導出された各転送される複素シンボルベクトルはインデックスを有し、前記統計は該インデックスごとに行われる。
【００１９】
したがって、複素シンボルベクトルのインデックスに従って、システムを動的に最適化することが可能である。
【００２０】
特定の特徴によれば、前記電気通信デバイスによって転送される少なくとも１つの取得された信号の送信電力は、情報ワードが正常に復号される前記複素シンボルベクトルの前記インデックスに依存する。
【００２１】
したがって、電気通信デバイスは、信号転送に専用の電力バジェットを調整することができ、選択された再送信インデックスに、より大きな強度を与えることができる。
【００２２】
特定の特徴によれば、前記統計は、前記複素シンボルベクトルごとに、前記情報ワードの前記受信送信の開始から受信された符号化ビットの量に対して、各前記複素シンボルベクトルの受信後に行われる。
【００２３】
したがって、複素シンボルベクトルごとの複素シンボル数が送信ごとに変化する場合であっても、本発明を適用することができる。
【００２４】
特定の特徴によれば、前記統計は、１つの複素シンボルベクトルの前記受信後に等価符号化率に対して行われ、該等価符号化率は、前記受信された複素シンボルベクトルにおける前記情報ワードの転送される情報ビット数と、前記情報ワードの前記送信の開始から受信された全ビット数との間の比として定義される。
【００２５】
したがって、送信された情報ビット数が送信ごとに変化する場合であっても、本発明を適用することができる。
【００２６】
特定の特徴によれば、他の情報ワードの前記以前の正常な復号は、前記電気通信デバイスによって実行される。
【００２７】
したがって、電気通信デバイスが自身の予想正常復号時間を知るように、無線電気通信ネットワークにおいて交換を行う必要はない。
【００２８】
特定の特徴によれば、他の情報ワードの前記以前の正常な復号は、他の電気通信デバイスによって実行され、前記電気通信デバイスは、他の電気通信デバイスによる他の情報ワードの前記正常な復号を、該他の電気通信デバイスによって転送される肯定応答メッセージ及び／又は否定応答メッセージを監視することによって検出する。
【００２９】
したがって、電気通信デバイスは、自身の近傍電気通信デバイスの予想正常復号時間を知る。
【００３０】
特定の特徴によれば、少なくとも前記送信元によって転送される複素シンボルで構成される前記少なくとも１つの信号は、複数の電気通信デバイスへ転送される。
【００３１】
したがって、各電気通信デバイスは、メッセージを正しく復号するとすぐに、同じメッセージに対応する追加の信号を他の電気通信デバイスへ転送する決定を行う。
【００３２】
さらに別の態様によれば、本発明は、プログラマブルデバイスに直接ロード可能とすることができるコンピュータープログラムであって、該コンピュータープログラムがプログラマブルデバイスで実行されるときに本発明による方法の前記ステップを実施する命令又はコード部を含む、コンピュータープログラムに関する。
【００３３】
コンピュータープログラムに関する特徴及び利点は、本発明による方法及びデバイスに関連して上述したものと同じであるので、ここでは繰り返さないことにする。
【００３４】
本発明の特徴は、一例の実施形態の以下の説明を読むことによってより明らかになる。該説明は、添付図面に関して作成されたものである。
【図面の簡単な説明】
【００３５】
【図１】無線セルラー電気通信ネットワークのトポロジー、及び該無線セルラー電気通信ネットワークにおける信号の転送の一例を表す図である。
【図２】本発明が実施される電気通信デバイスのアーキテクチャを表す図である。
【図３】本発明による電気通信デバイスによって実行されるアルゴリズムの一例を開示する図である。
【図４ａ】本発明による少なくとも基地局によって送信された複素変調シンボルベクトルの復号後における情報ワードの正常な復号に対して電気通信デバイスにより行われた統計の例を開示する図である。
【図４ｂ】本発明による少なくとも基地局によって送信された複素変調シンボルベクトルの復号後における情報ワードの正常な復号に対して電気通信デバイスにより行われた統計の例を開示する図である。
【図４ｃ】本発明による少なくとも基地局によって送信された複素変調シンボルベクトルの復号後における情報ワードの正常な復号に対して電気通信デバイスにより行われた統計の例を開示する図である。
【図４ｄ】本発明による少なくとも基地局によって送信された複素変調シンボルベクトルの復号後における情報ワードの正常な復号に対して電気通信デバイスにより行われた統計の例を開示する図である。
【図５】本発明による少なくとも送信元によって送信された複素変調シンボルベクトルの復号後における情報ワードの正常な復号に対して電気通信デバイスにより行われた統計から導出されたパラメーター値の一例を開示する図である。
【図６】本発明による無線セルラー電気通信ネットワークにおける信号の転送の一例を表す図である。
【発明を実施するための形態】
【００３６】
図１は、無線セルラー電気通信ネットワークのトポロジー、及び該無線セルラー電気通信ネットワークにおける信号の転送の一例を表している。
【００３７】
図１の例では、基地局ＢＳのような送信元が、移動端末ＭＴのような少なくとも２つの電気通信デバイスへ信号を転送する。
【００３８】
図１の例によれば、基地局ＢＳは１０個の電気通信デバイスＭＴ１〜ＭＴ１０へ信号を転送する。
【００３９】
基地局は、アクセスノード又はノードＢ又はエンハンストノードＢ又はホーム基地局又はピコ基地局又はフェムト基地局という名称も有する。
【００４０】
基地局ＢＳは、一変形形態では、たとえば衛星のような放送デバイスであってもよい。
【００４１】
電気通信デバイスＭＴは、たとえば移動端末又は中継器又はフェムト基地局である。
【００４２】
電気通信デバイスＭＴ１〜ＭＴ１０は、中継モードにあるとき、動的復号転送（ＤＤＦ（Dynamic Decode and Forward））プロトコルに従って動作する。
【００４３】
ＤＤＦプロトコルは、中継モードにある電気通信デバイスＭＴにおけるスマート処理(smart processing)を含む。電気通信デバイスＭＴは、基地局ＢＳから転送される情報を受信して、該情報の復号を試み、復号の結果がエラーでなかった後に中継モードにシフトすることができる。
【００４４】
特定の実現モードでは、電気通信デバイスＭＴが中継モードにあるとき、その電気通信デバイスＭＴは、基地局ＢＳと同じ周波数／時間リソースで信号を転送する。
【００４５】
１０個の電気通信デバイスＭＴ１〜ＭＴ１０が示されているが、本発明は、異なる数、たとえばより多くの数の電気通信デバイスＭＴが無線セルラー電気通信ネットワークに存在するときも機能することを理解することができる。
【００４６】
基地局ＢＳは、符号化器によって符号化される、冗長性を有する情報ワードのＫビットの情報ビットを送信する。符号化器の出力はインターリーブされて、符号化ビットベクトルが生成される。
【００４７】
符号化ビットベクトルは、複素変調シンボルを取得するために、離散変調入力に与えられる。この離散変調入力は、４位相偏移変調であってもよいし、１６、３２、又は６４直交振幅変調であってもよい。その複素変調シンボルは、複素変調シンボルのいくつかのブロックを含む複素変調シンボルベクトルにグループ化される。
【００４８】
符号化及びインターリーブは、さらに一般的には、３ＧＰＰ−ＬＴＥ標準規格（第３世代パートナーシッププロジェクト−ロングタームエボリューション）において用いられるようなレートマッチングアルゴリズムによって行われる。これにより、情報ワードから任意のサイズの符号化ビットベクトルを生成することが可能になる。換言すれば、任意の可能な符号化率を生成することが可能になる。
【００４９】
本発明は、符号ワードがいくつかの符号化ビットベクトル、すなわちいくつかの複素変調シンボルベクトルにセグメント化される、放送のようなオープンループ送信において適用可能である。
【００５０】
本発明は、前のブロック送信の成功を肯定応答するか又はしないために、宛先（１つ又は複数の電気通信デバイス）から基地局ＢＳにハイブリッドＡＲＱ（ＨＡＲＱ）フィードバックスキームが提供される無線セルラー電気通信ネットワークにおいても適用可能である。
【００５１】
ハイブリッドＡＲＱでは、宛先がシンボルを正常に復号することができないとき、すなわち、送信された情報ワードに組み込まれた巡回冗長検査（ＣＲＣ）が機能しないとき、追加の冗長性(additional redundancy)の再送信が実行される。
【００５２】
十分な冗長性が受信されるとすぐに、電気通信デバイスＭＴはメッセージを正しく復号することができ、送信は停止される。
【００５３】
電気通信デバイスＭＴは、１つの情報ワード送信の開始から受信された符号化ビットの複素変調シンボルベクトル又はソフト推定値を連結したものを記憶し、連結したベクトルに対して統合復号を適用する。
【００５４】
複素変調シンボルベクトルの受信及び復号の後、該複素変調シンボルのＣＲＣチェックが正しい場合、肯定応答が実行される。
【００５５】
通例、新しい各複素変調シンボルベクトルは、レートマッチングアルゴリズム及びエラー訂正符号の出力から取られた追加の冗長性を含む。
【００５６】
ＬB1〜ＬB10で示される矢印は、基地局ＢＳとそれぞれの電気通信デバイスＭＴ１〜ＭＴ１０との間の無線リンクを表している。
【００５７】
本発明によれば、電気通信デバイスがシンボルを受信し、該シンボルを正常に復号したとき、その電気通信デバイスＭＴは、所与の基準に従って中継モードに切り替わる決定を行う。この所与の基準は、たとえば、前に受信された１つ又は複数の情報ワードの正常な復号時間と比較した、或る情報ワードの正常な復号時間である。
【００５８】
電気通信デバイスＭＴが中継モードにあるとき、電気通信デバイスＭＴは、基地局ＢＳによって転送される１つ又は複数の複素シンボルベクトルが導出されたのと同じ情報ワードから導出された少なくとも１つの複素シンボルベクトルを転送する。
電気通信デバイスＭＴによって転送される新しい各複素変調シンボルベクトルは、追加の冗長性を含み、当該追加の冗長性は、基地局ＢＳによって用いられるものと同じレートマッチングアルゴリズムの出力及び同じエラー訂正符号の出力から取られたものである。
【００５９】
これらの１つ又は複数の複素シンボルベクトルは、たとえば、基地局ＢＳが、該基地局ＢＳによって前に転送されていなかった他の１つ又は複数の複素シンボルベクトルも転送するのと同時に転送される。
【００６０】
本発明の特定の実現モードでは、電気通信デバイスＭＴは、近傍端末によって前に受信された１つ又は複数の情報ワードの正常な復号時間を求めるために、近傍電気通信デバイスＭＴによって転送される肯定応答又は否定応答を監視する。
【００６１】
電気通信デバイスＭＴ及び基地局ＢＳは、図１に図示しない複数のアンテナを有してもよい。
【００６２】
ここで、送信元は、少なくとも基地局へ信号を転送する移動端末であってもよく、この場合、本発明は中継器のような少なくとも１つの電気通信デバイスによって実行されることに留意しなければならない。
【００６３】
中継器は、自身に割り当てられた無線リソースを効率的に管理するため、自身の電力エネルギー源を節減するために自身が信号を中継するか否かを決定する。
【００６４】
図２は、本発明が実施される電気通信デバイスのアーキテクチャを表す図である。
【００６５】
電気通信デバイスはたとえば移動端末ＭＴである。
【００６６】
電気通信デバイスＭＴは、例えば、バス２０１によって互いに接続されたコンポーネントと、図３に開示するようなプログラムによって制御されるプロセッサ２００とに基づくアーキテクチャを有する。
【００６７】
バス２０１は、プロセッサ２００を、読み出し専用メモリＲＯＭ２０２、ランダムアクセスメモリＲＡＭ２０３、及び無線インターフェース２０５にリンクする。
【００６８】
メモリ２０３は、変数と、図３に開示するようなプログラムの命令とを収容するように意図されたレジスタを含む。
【００６９】
プロセッサ２００は無線インターフェース２０５の動作を制御する。
【００７０】
読み出し専用メモリ２０２は、図３に開示するようなプログラムの命令を含む。これらの命令は、電気通信デバイスＭＴに電源が投入されたとき、ランダムアクセスメモリ２０３へ転送される。
【００７１】
無線インターフェース２０５は、電気通信デバイスＭＴが信号若しくはメッセージを基地局ＢＳへ転送し、かつ／又は電気通信デバイスＭＴが信号若しくはメッセージを基地局ＢＳから受信することを可能にする。
【００７２】
無線インターフェース２０５は、少なくとも１つの基地局ＢＳによって転送される信号を受信するダウンリンク受信モジュール２１０、少なくとも１つの電気通信デバイスへ信号を転送するダウンリンク送信モジュール２１１、及び少なくとも１つの基地局ＢＳへ信号を転送するアップリンク送信モジュール２１２を備える。
【００７３】
電気通信デバイスＭＴが中継器である場合、電気通信デバイスは、移動端末によって基地局ＢＳへ転送される信号を受信するアップリンク受信機をさらに備えることができる。
【００７４】
図３は、本発明による電気通信デバイスによって実行されるアルゴリズムの一例を開示している。
【００７５】
本アルゴリズムは、電気通信デバイスＭＴが移動端末ＭＴである一例で開示される。
【００７６】
本アルゴリズムは中継器によって実行されてもよい。
【００７７】
より正確には、本アルゴリズムは、各電気通信デバイスＭＴのプロセッサ２００によって実行される。
【００７８】
ステップＳ３００において、プロセッサ２００は、新しい情報ワードの送信を表す信号が開始するか否かをチェックする。
【００７９】
新しい情報ワードを表す信号が受信されない限り、プロセッサ２００はステップＳ３００において待機する。
【００８０】
新しい情報ワードを表す信号が受信された場合、プロセッサ２００はステップＳ３０１に移動する。
【００８１】
ステップＳ３０１において、プロセッサ２００は、新しい情報ワードの情報ビットから取得された複素変調シンボルで構成されると共に無線インターフェース２０５を通じて受信される少なくとも１つの信号の受信を検出する。
【００８２】
情報ビットから取得された複素変調シンボルのこの少なくとも１つの信号は、ダウンリンク受信機２１０によって受信され、そして、その情報ワードの送信の開始から、前に受信されていた複素変調シンボルがいくつかある場合には、それらの複素変調シンボルに連結される。
【００８３】
次のステップＳ３０２において、プロセッサ２００は、情報ビットから取得された複素変調シンボルで構成される少なくともその受信信号に対して復号を試みるように無線インターフェース２０５に指令する。電気通信デバイスＭＴによって前に受信されていた他の複素変調シンボルを含めてもよい。
【００８４】
複素変調シンボルは、符号化ビットのソフト推定値に復調され、デインターリーブされ、情報ビット推定値に復号される。
【００８５】
次のステップＳ３０３において、プロセッサ２００は、複素変調シンボルで構成される少なくとも１つの受信信号の復号後に求められた巡回冗長検査（ＣＲＣ）が正しいか否かをチェックする。
【００８６】
ＣＲＣが正しい場合、このことは復号が正常であること意味し、プロセッサ２００はステップＳ３０５に移動する。ＣＲＣが正しくない場合、プロセッサ２００はステップＳ３０４に移動する。
【００８７】
ステップＳ３０４において、プロセッサ２００は、既に受信されている前の信号を構成する複素変調シンボルの取得元の情報ワードについて、複素変調シンボルの送信が終了したか否かをチェックする。
【００８８】
複素変調シンボルの送信がその情報ワードについて終了した場合、プロセッサ２００はステップＳ３００に戻る。そうでない場合、プロセッサ２００はステップＳ３０１に移動する。
【００８９】
ステップＳ３０５において、プロセッサ２００は、情報ワードから取得された複素変調シンボルで構成される信号の正常復号時間に関連した統計を更新する。
【００９０】
統計の例は図４ａ〜図４ｄについて与えられる。
【００９１】
図４ａ〜図４ｄにおいて、異なるヒストグラムは、基地局ＢＳと電気通信デバイスＭＴとの間のリンクの品質が異なることに起因するものである。
【００９２】
複素変調シンボルベクトルのいくつかの受信後、各電気通信デバイスＭＴは、所与の複素変調シンボルベクトルの復号後、情報ワードが正常に復号される確率を計算することができる。電気通信デバイスＭＴごとのヒストグラムが示され、基地局ＢＳと電気通信デバイスとの間のリンク品質が良好なほど平均値は低くなる（すなわち、より早期に正常復号される）ことを示している。
【００９３】
ヒストグラム、すなわち離散確率密度は、いくつかの送信を通じて評価されて更新される。電気通信デバイスＭＴの移動性を考慮に入れるための更新ルールには、忘却因子（forgetting factor）を用いることができる。確かに、移動する電気通信デバイスＭＴのヒストグラムは、電気通信デバイスと基地局ＢＳとの間のリンク品質が変化するとき、時間を通じて変化する。
【００９４】
図４ａは、本発明による少なくとも基地局によって送信された複素変調シンボルベクトルの復号後における情報ワードの正常な復号に対して電気通信デバイスＭＴ１により行われた統計の一例を開示している。
【００９５】
横軸は、同じ情報ワードから取得された異なる複素変調シンボルベクトルのインデックスを示している。
【００９６】
縦軸は、同じインデックスを共有する複素変調シンボルベクトルの受信後における情報ワードの正常な復号の確率を表す情報を示している。
【００９７】
図１に示すように、電気通信デバイスＭＴ１は基地局ＢＳに近いので、一般には、情報ワードから取得された、最初に転送された複素変調シンボルベクトルを復号することによって、情報ワードを正常に復号することができる。すなわち、ＣＲＣチェックは正しくなる。
【００９８】
多くの場合、最初に転送された複素変調シンボルベクトルの後に正常な復号が行われることから、第１の電気通信デバイスＭＴ１が、情報ワードから取得された２番目又は３番目に転送された複素変調シンボルベクトルを復号することはめったに必要とされない。
【００９９】
最初に転送された複素変調シンボルベクトル、２番目に転送された複素変調シンボルベクトル、又は３番目に転送された複素変調シンボルベクトルの後に正常な復号がすでに行われているので、第１の電気通信ＭＴ１が、情報ワードから取得された４番目に転送された複素変調シンボルベクトル、５番目に転送された複素変調シンボルベクトル、及び６番目に転送された複素変調シンボルベクトルを復号することはほとんど必要とされない。
【０１００】
図４ｂは、本発明による少なくとも基地局によって送信された複素変調シンボルベクトルの復号後における情報ワードの正常な復号に対して電気通信デバイスＭＴ４によって行われた統計の一例を開示している。
【０１０１】
横軸は、同じ情報ワードから取得された異なる複素変調シンボルベクトルのインデックスを示している。
【０１０２】
インデックスは、同じ情報ワードから取得された複素変調シンボルベクトルの送信の順序を表している。
【０１０３】
縦軸は、同じインデックスを共有する複素変調シンボルベクトルの受信後における情報ワードの正常な復号の確率、換言すれば、所与のインデックスを有する複素変調シンボルベクトルが正常に復号される確率を表す情報を表す情報を示している。
【０１０４】
図１に示すように、電気通信デバイスＭＴ４は電気通信デバイスＭＴ１よりも基地局ＢＳから離れているので、情報ワードを正常に復号するにはより多くの冗長性を要する。すなわち、より多くの複素変調シンボルベクトルを同じ情報ワードから取得する必要がある。
【０１０５】
同じ情報ワードから取得された２番目の複素変調シンボルベクトルは、電気通信デバイスＭＴ４による情報ワードの正常な復号の１番高い確率を有する。
【０１０６】
同じ情報ワードから取得された最初（１番目）の複素変調シンボルベクトル及び３番目の複素変調シンボルベクトルは、電気通信デバイスＭＴ４による情報ワードの正常な復号の２番目に高い確率を有する。
【０１０７】
同じ情報ワードから取得された４番目の複素変調シンボルベクトルは、電気通信デバイスＭＴ４による情報ワードの正常な復号の３番目のベクトル及び最初のベクトルよりも低い確率を有する。
【０１０８】
最初の複素変調シンボルの復号後に情報ワードを正常に復号する確率は、冗長性の量が多くの場合にリンク品質に対して十分でないので、低い確率を有する。
【０１０９】
３番目の複素変調シンボルベクトルの復号後に情報ワードを正常に復号する確率は、メッセージが通例、２番目の複素変調シンボルベクトルの受信後に正常に復号されるので、低い確率を有する。
【０１１０】
最初に転送された複素変調シンボルベクトル又は２番目に転送された複素変調シンボルベクトル又は３番目に転送された複素変調シンボルベクトル又は４番目に転送された複素変調シンボルベクトルの後に正常な復号がすでに行われているので、電気通信デバイスＭＴ４が、情報ワードから取得された５番目に転送された複素変調シンボルベクトル及び６番目に転送された複素変調シンボルベクトルを復号することはほとんど必要とされない。
【０１１１】
図４ｃは、本発明による少なくとも基地局によって送信された複素変調シンボルベクトルの復号後における情報ワードの正常な復号に対して電気通信デバイスＭＴ５によって行われた統計の一例を開示している。
【０１１２】
横軸は、同じ情報ワードから取得された異なる複素変調シンボルベクトルのインデックスを示している。
【０１１３】
縦軸は、同じインデックスを共有する複素変調シンボルベクトルの受信後における情報ワードの正常な復号の確率、換言すれば、所与のインデックスを有する複素変調シンボルベクトルが正常に復号される確率を表す情報を表す情報を示している。
【０１１４】
図１に示すように、電気通信デバイスＭＴ５は電気通信デバイスＭＴ４よりも基地局ＢＳから離れているので、情報ワードを正常に復号するにはより多くの冗長性を要する。すなわち、より多くの複素変調シンボルベクトルを同じ情報ワードから取得する必要がある。
【０１１５】
同じ情報ワードから取得された４番目の複素変調シンボルベクトル及び５番目の複素変調シンボルベクトルは、電気通信デバイスＭＴ５による情報ワードの正常な復号の１番高い確率を有する。
【０１１６】
同じ情報ワードから取得された６番目の複素変調シンボルベクトルは、電気通信デバイスＭＴ５による情報ワードの正常な復号の２番目に高い確率を有する。
【０１１７】
同じ情報ワードから取得された３番目の複素変調シンボルベクトルは、電気通信デバイスＭＴ５による情報ワードの正常な復号の３番目に高い確率を有する。
【０１１８】
同じ情報ワードから取得された２番目の複素変調シンボルベクトルは、電気通信デバイスＭＴ５による情報ワードの正常な復号の４番目に高い確率を有する。
【０１１９】
同じ情報ワードから取得された最初の複素変調シンボルベクトルは、その後の電気通信デバイスＭＴ５による情報ワードの正常な復号より低い確率を有する。
【０１２０】
最初の複素変調シンボルベクトル、２番目の複素変調シンボルベクトル、及び３番目の複素変調シンボルベクトルの復号後に情報ワードを正常に復号する確率は、冗長性の量が多くの場合にリンク品質に対して十分でないので、低い確率を有する。
【０１２１】
６番目の複素変調シンボルベクトルの復号後に情報ワードを正常に復号する確率は、メッセージが通例、４番目の複素変調シンボルベクトル又は５番目の複素変調シンボルベクトルの受信後に正常に復号されるので、低い確率を有する。
【０１２２】
図４ｄは、本発明による少なくとも基地局によって送信された複素変調シンボルベクトルの復号後における情報ワードの正常な復号に対して電気通信デバイスＭＴ８によって行われた統計の一例を開示している。
【０１２３】
横軸は、同じ情報ワードから取得された異なる複素変調シンボルベクトルのインデックスを示している。
【０１２４】
縦軸は、同じインデックスを共有する複素変調シンボルベクトルの受信後における情報ワードの正常な復号の確率、換言すれば、所与のインデックスを有する複素変調シンボルベクトルが正常に復号される確率を表す情報を表す情報を示している。
【０１２５】
図１に示すように、電気通信デバイスＭＴ８は電気通信デバイスＭＴ５よりも基地局ＢＳから離れているので、情報ワードを正常に復号するにはより多くの冗長性を要する。すなわち、より多くの複素変調シンボルベクトルを同じ情報ワードから取得する必要がある。
【０１２６】
同じ情報ワードから取得された６番目の複素変調シンボルベクトルは、電気通信デバイスＭＴ８による情報ワードの正常な復号の１番高い確率を有する。
【０１２７】
同じ情報ワードから取得された５番目の複素変調シンボルベクトルは、電気通信デバイスＭＴ８による情報ワードの正常な復号の２番目に高い確率を有する。
【０１２８】
同じ情報ワードから取得された４番目の複素変調シンボルベクトルは、電気通信デバイスＭＴ８による情報ワードの正常な復号の３番目に高い確率を有する。
【０１２９】
同じ情報ワードから取得された３番目の複素変調シンボルベクトルは、電気通信デバイスＭＴ８による情報ワードの正常な復号の４番目に高い確率を有する。
【０１３０】
同じ情報ワードから取得された最初の複素変調シンボルベクトル及び２番目の複素変調シンボルベクトルは、電気通信デバイスＭＴ８による情報ワードの正常な復号のより低い確率を有する。
【０１３１】
図４ｄの例では、同じ情報ワードから取得された最初の複素変調シンボルベクトル及び２番目の複素変調シンボルベクトルが正常に復号される確率はほとんどゼロの値に等しい。
【０１３２】
３番目の複素変調シンボルベクトル、４番目の複素変調シンボルベクトル、５番目の複素変調シンボルベクトル、及び６番目の複素変調シンボルベクトルの復号後に情報ワードを正常に復号する確率は、冗長性の量が次第に増加するので次第に増加する。
【０１３３】
最初の複素変調シンボルベクトル及び２番目の複素変調シンボルベクトルの復号後に情報ワードを正常に復号する確率は、多くの場合にリンク品質に対して冗長性の量が十分でないことから、低い確率を有する。
【０１３４】
ここで、所与の電気通信デバイスＭＴの近傍電気通信デバイスによって転送される肯定応答メッセージ及び／又は否定応答メッセージに従って、図４ａ〜図４ｄに示す統計が上記所与の電気通信デバイスＭＴによってさらに更新されてもよいことに留意しなければならない。
【０１３５】
ここで、各情報ワードが同じ数の複素変調シンボルベクトルにされて転送されるときに、かつ各ｉ番目の複素変調シンボルベクトルが送信ごとに同じ数の複素シンボルを有するときに、上述した統計が行われることに留意しなければならない。換言すれば、情報ペイロード、符号化、及び複素ベクトルへのセグメント化は送信ごとに変化しない。
【０１３６】
ここで、図４ａ〜図４ｄに示す統計は、たとえば信号の電力受信の突然の増加を監視することによって、中継モードにある電気通信デバイスＭＴの検出を考慮に入れることによりさらに更新されてよいことに留意しなければならない。たとえば、確率密度は、情報ワードの送信中に近傍電気通信デバイスが中継モードでない場合にのみ更新される。
【０１３７】
ここで、一変形形態において、図４ａ〜図４ｄに示す統計は、ベクトルのインデックスに対して実行されるのではなく、情報ワードの送信の開始から受信された符号化ビットの量に対して、各複素シンボルベクトルの受信後に実行されてもよいことに留意しなければならない。
これによって、１つの情報メッセージにおける情報ビットのビット数が時間と共に変化しないが、複素変調シンボルベクトルへの情報ワードのセグメント化が送信ごとに変化し得る場合に本発明を適用することが可能になる。
【０１３８】
ここで、一変形形態では、図４ａ〜図４ｄに示す統計は、ベクトルのインデックスに対して実行されるのではなく、１つの複素シンボルベクトルの受信後に、等価符号化率（equivalent coding rate）に対して実行されてもよいことに留意しなければならない。
等価符号化率は、複素シンボルベクトルの各受信後において、受信された複素シンボルベクトルの転送情報ビット数と、情報ワードの送信の開始から受信された全符号化ビット量との間の比として定義される。
これによって、１つの情報メッセージの情報ビット数及び複素シンボルベクトルへの符号化されたワードのセグメント化がメッセージ送信ごとに変化し得るケースに本発明を適用することが可能になる。
【０１３９】
次のステップＳ３０６において、プロセッサ２００は、電気通信デバイスＭＴが中継モードに切り替わるか否かを決定する。
【０１４０】
プロセッサ２００は、所与の基準に従って中継モードに切り替わる決定を行う。この所与の基準は、たとえば、前に受信された１つ又は複数の情報ワードと比較した或る情報ワードの復号時間である。
【０１４１】
より詳細には、プロセッサ２００は、情報ワードから取得された複素変調シンボルベクトルが、復号の確率が低く、かつ、正常な復号の確率がより高い複素変調シンボルベクトルのインデックスよりも低いインデックスを有するときに中継モードに切り替わる決定を行う。
【０１４２】
電気通信デバイスＭＴ１のような電気通信デバイスＭＴが基地局ＢＳに非常に近いとき、電気通信デバイスＭＴ１と基地局ＢＳとの間のデータリンクの信号対雑音比（ＳＮＲ）は高い。これは、電気通信デバイスＭＴ１が、情報ワードから取得された最初の複素変調シンボルベクトルの送信後に該情報ワードを正しく復号することができる十分な可能性を有することを意味する。同様に、電気通信デバイスＭＴ１の近傍電気通信デバイスＭＴも、良好なＳＮＲ条件及び情報ワードを早期に復号する十分な可能性を有する。この状況では、中継は近傍電気通信デバイスＭＴには役立たない。
【０１４３】
リンク品質改善を必要とする電気通信デバイスＭＴは、基地局ＢＳ及び電気通信デバイスＭＴ１から遠くに位置する。したがって、中継モードで作動する電気通信デバイスＭＴ１によって転送される信号は、電気通信デバイスＭＴ１から遠くにある電気通信デバイスＭＴによって効率的に受信されるには、高い送信電力を有しなければならない。このような場合、正しい復号の後に電気通信デバイスＭＴ１を中継モードにすることは、電気通信デバイスＭＴ１のエネルギーの浪費になるおそれがある。
【０１４４】
電気通信デバイスＭＴ８のような電気通信デバイスＭＴが基地局ＢＳのセル端にいるとき、電気通信デバイスＭＴ８と基地局ＢＳとの間のデータリンクの信号対雑音比（ＳＮＲ）は低い。これは、電気通信デバイスＭＴ８が、情報ワードから取得された全複素変調シンボルベクトルの送信後にメッセージを正しく復号しない可能性を有することを意味する。同様に、電気通信デバイスＭＴ８の近傍電気通信デバイスも、低いＳＮＲ条件を有し、正しい復号の可能性が低い。
【０１４５】
しかしながら、早期に復号する確率は低いが、ゼロの値ではない。電気通信デバイスＭＴ８が中継モードになる場合、その寄与は、たとえ電気通信デバイスＭＴ８が低い送信電力で信号を送信する場合であっても、電気通信デバイスＭＴ８の近傍電気通信デバイスにとって非常にプラスである。この状況では、少なくとも１つの電気通信デバイスＭＴにとって早期に復号が行われない確率が低くなるので、高密度の電気通信デバイスと組み合わせて中継を行うことが現実に役立つ。
【０１４６】
さらに、電気通信デバイスが中継モードに切り替わることは、主として、高速フェージングチャネルの機能であるので、中継モードは、長期の観測ではランダムのように見える。これは、電気通信デバイスＭＴが、自身が実際に中継モードになって電力を消費するよりも、中継モードにある他の近傍電気通信デバイスから利益を得ることの方が多いことを意味する。
【０１４７】
たとえば、正常に復号される複素変調シンボルベクトルのインデックスが、複素変調シンボルベクトルの平均インデックスよりも小さい場合、プロセッサ２００は中継モードに切り替わる決定を行う。
【０１４８】
次のステップＳ３０７において、プロセッサ２００は、電気通信デバイスＭＴが中継モードに切り替わる決定が行われているか否かをチェックする。
【０１４９】
電気通信ＭＴが中継モードに切り替わるとの決定が行われている場合、プロセッサ２００はステップＳ３０８に移動する。そうでない場合、プロセッサ２００はステップＳ３０４に移動する。
【０１５０】
ステップＳ３０８において、プロセッサ２００は信号を中継するのに用いられるパラメーターを選択する。
【０１５１】
電気通信デバイスＭＴは、基地局ＢＳによって転送される１つ又は複数の複素シンボルベクトルが導出されたのと同じ情報ワードから導出された少なくとも１つの複素シンボルベクトルを転送する。
【０１５２】
特定の特徴によれば、送信電力が、信号を中継するのに用いられる１つのパラメーターである。たとえば、送信電力は、正常な復号の確率に従って、又は正常に復号された複素シンボルベクトルに対応する正常な復号のインデックスに従って調整される。
【０１５３】
早期の復号は、近傍電気通信デバイスＭＴに非常に有益であるので、中継モードに切り替わる電気通信デバイスＭＴのカバレッジエリアは、送信電力を増大させることによって増加される。これは、平均送信電力によるよりも多くの電気通信デバイスに有益である。中継モードに切り替わる電気通信デバイスＭＴによってもたらされる有益性が低い場合、その電気通信デバイスＭＴが中継する送信電力は低く又はゼロに設定される。
【０１５４】
図５は、本発明による少なくとも基地局によって送信される複素変調シンボルベクトルの復号後における情報ワードの正常な復号に対して電気通信デバイスによって行われた統計から導出されたパラメーター値の一例を開示している。
【０１５５】
図５では、同じ情報ワードから導出された最大６つの複素シンボルベクトルが転送される。
【０１５６】
最初に送信された複素シンボルベクトルには、正常な復号の確率ｐ1及び送信電力Ｔ1が示されている。
【０１５７】
２番目に送信された複素シンボルベクトルには、正常な復号の確率ｐ2＞ｐ1及び送信電力Ｔ2＜Ｔ1が示されている。
【０１５８】
３番目に送信された複素シンボルベクトルには、正常な復号の確率ｐ3＞ｐ2及び送信電力Ｔ3＜Ｔ2が示されている。
【０１５９】
４番目に送信された複素シンボルベクトルには、正常な復号の確率ｐ4＝ｐ3及び送信電力Ｔ4＜Ｔ3が示されている。
【０１６０】
５番目に送信された複素シンボルベクトルには、正常な復号の確率ｐ5＜ｐ4及び送信電力Ｔ5＜Ｔ4が示されている。
【０１６１】
６番目の送信された複素シンボルベクトルには、正常な復号の確率ｐ6＜ｐ5及び送信電力Ｔ6＜Ｔ1が示されている。
【０１６２】
電気通信デバイスＭＴが中継モードにあるときの平均送信電気通信
【０１６３】
【数１】
2011223560.tif 000003
【０１６４】
は、
【０１６５】
【数２】
2011223560.tif 000004
【０１６６】
に等しい。ここで、Ｂは、同じ情報ワードから導出された複素シンボルベクトルの最大数である。
【０１６７】
Ｔi値は、好ましくは減少するものとして選ばれ、最適化ツールによって取得することもできるし、電気通信デバイス間のいくつかの伝播モデルを用いることによって取得することもできる。
【０１６８】
別の特定の特徴によれば、パラメーター確率ａiがさらに導入される。電気通信デバイスＭＴが、上述した基準を適用した後、情報ワードを正しく復号したとき、プロセッサ２００は、電気通信デバイスＭＴが中継器モードに切り替わるべきか否かをパラメーター確率ａiに従ってランダムに選び出す。これによって、以下のように中継モードにある１つの電気通信デバイスの平均送信電力を調整することが可能になる。
【０１６９】
【数３】
2011223560.tif 000005
【０１７０】
特定の特徴によれば、上述した特徴との組み合わせの有無を問わず、プロセッサ２００は、情報ワードの正常な復号時間の関数として中継モードの持続時間も求める。たとえば、最初の複素シンボルベクトルの復号後の情報ワードの正常な復号を行う電気通信デバイスＭＴは、２番目の複素シンボルベクトルの送信中にのみ高い電力で送信し、残りの複素シンボルベクトルについては高い電力で送信しない決定を行うことができる。
【０１７１】
次のステップＳ３０９において、プロセッサ２００は、中継された情報ワードの転送を指令する。複素シンボルベクトルは、たとえば、基地局ＢＳも該基地局ＢＳによって前に転送されていない他の複素シンボルベクトルを転送するのと同時に転送される。電気通信デバイスは、多くとも、１つの情報ワードから導出された複素シンボル複素ベクトルの総数から、受信された複素シンボルベクトルのインデックスを引いた数に等しい数の複素シンボルベクトルを転送し、その後、正常な復号が行われる。
【０１７２】
その後、プロセッサ２００は、すでに説明したステップＳ３００に戻る。
【０１７３】
図６は、本発明による無線セルラー電気通信ネットワークにおける信号の転送の一例を表している。
【０１７４】
図６の例では、電気通信デバイスＭＴ１、ＭＴ２、及びＭＴ８は、情報ワードから導出された最初の複素シンボルベクトルの復号後に情報ワードを正常に復号する。
【０１７５】
電気通信デバイスＭＴ１及びＭＴ２は基地局ＢＳに非常に近いので、電気通信デバイスＭＴ１及びＭＴ２は、中継モードに切り替わらない決定を行う。
【０１７６】
これに対して、電気通信デバイスＭＴ８は基地局ＢＳのセルの境界にいるので、電気通信デバイスＭＴ８が、情報ワードから導出された最初の複素シンボルベクトルを正常に復号する確率は、図４ｄに示すように非常に低い。電気通信デバイスＭＴ８は、中継モードに切り替わる決定を行う。
【０１７７】
当然のことながら、本発明の範囲から逸脱することなく、上述した本発明の実施形態に対して多くの変更を行うことができる。
【図１】
2011223560.tif 000006
【図２】
2011223560.tif 000007
【図３】
2011223560.tif 000008
【図４ａ】
2011223560.tif 000009
【図４ｂ】
2011223560.tif 000010
【図４ｃ】
2011223560.tif 000011
【図４ｄ】
2011223560.tif 000012
【図５】
2011223560.tif 000013
【図６】
2011223560.tif 000014
【外国語明細書】
2011223560.tif 000015
2011223560.tif 000016
2011223560.tif 000017
2011223560.tif 000018
2011223560.tif 000019
2011223560.tif 000020
2011223560.tif 000021
2011223560.tif 000022
2011223560.tif 000023
2011223560.tif 000024
2011223560.tif 000025
2011223560.tif 000026
2011223560.tif 000027
2011223560.tif 000028
2011223560.tif 000029
2011223560.tif 000030
2011223560.tif 000031
2011223560.tif 000032
2011223560.tif 000033
2011223560.tif 000034
2011223560.tif 000035
2011223560.tif 000036
2011223560.tif 000037
2011223560.tif 000038
2011223560.tif 000039
2011223560.tif 000040
2011223560.tif 000041
2011223560.tif 000042
2011223560.tif 000043
2011223560.tif 000044
2011223560.tif 000045